(57)【特許請求の範囲】
【請求項１】
本体の正面に画像を表示するディスプレイを備え、本体の上端部に本体に対して回動可能な回動筐体を備えており、前記回動筐体の回動方向の１つの面にスピーカが設けられ、その面と反対の面にカメラ及びストロボ装置が設けられていて、前記回動筐体の回動により前記カメラ及びストロボ装置を本体の正面側と背面側のいずれか一方に選択的に位置させる携帯電話機であって、
前記回動筐体は、本体に対して水平軸を中心として回動可能で、本体の正面上端部に形成された開口凹部内に収納可能になっており、
前記回動筐体が前記開口凹部内に収納された状態で、前記回動筐体の面のうち、本体の正面側の面に前記スピーカが設けられ、本体の背面側の面に前記カメラ及びストロボ装置が設けられていて、前記開口凹部には前記カメラ及びストロボ装置各々に対応して本体の背面に貫通する貫通穴が形成されていることを特徴とする携帯電話機。
【請求項２】
前記ストロボ装置に対応する前記貫通穴に、前記ストロボ装置から出射された光を集光する集光レンズが設けられていることを特徴とする請求項１に記載の携帯電話機。
【請求項３】
前記集光レンズは、前記ストロボ装置に対応する前記貫通穴から離脱可能であることを特徴とする請求項２に記載の携帯電話機。
【発明の詳細な説明】
【０００１】
【発明の属する技術分野】
本発明は、撮影用のカメラ及びストロボ装置と画像表示用のディスプレイを装備し、音声や画像等の通信情報を無線送受信する携帯電話機に関する。
【０００２】
【従来の技術】
近年、携帯電話機は、音声だけでなく文字や画像等のデータも通信できるデータ通信端末として利用されてきている。そのため、例えば、撮像素子によるカメラが搭載され、そのカメラで撮影した画像をデータとして通信するようになっている。更に、最近では、被写体の照度が不十分な暗い場所等で撮影が行われる場合であっても、その際、撮影した画像の画質を十分に確保するために、被写体に十分な照度を与えるべく、ストロボ装置を搭載する携帯電話機が種々提案されている。
【０００３】
例えば、特開２０００−２７００６４号公報では、携帯電話機本体の一側面にその側方に向けてカメラ及びストロボ装置が設けられており、撮影の際に使用者は、画像表示用のディスプレイが裏面に設けられた回転可動式ディスプレイ部をその一側面上に位置するように開き、その一側面を被写体に向けた状態で、ディスプレイ上で被写体の画像を確認しながら適宜ストロボ装置を発光させるようになっている。また、実開平３−４９１号公報では、テレビ電話装置本体の正面にカメラとディスプレイが設けられ、本体の上面には正面に向けて発光するストロボ装置が突設されている。
【０００４】
【発明が解決しようとする課題】
しかし、前者では、カメラとディスプレイとが互いに同一方向側の面に位置するような構造となっていないので、使用者自らを被写体とする場合、ディスプレイ上でその画像を確認しながら撮影を行うことは不可能であり、撮影前に適正な撮影範囲を確定できない。もちろん、テレビ電話のような使い方、例えば、使用者が自らを撮影しその画像データをリアルタイムに送信しながら、通信相手からリアルタイムに受信する画像データをディスプレイ上で見て対話を行うという使い方も到底不可能である。
【０００５】
一方、後者では、カメラとディスプレイとが互いに同一面に固定されているので、使用者以外の風景等を撮影する場合、ディスプレイ上でその画像を確認しながら撮影を行うことは極めて困難である。つまり、前者と後者のいずれにおいても、撮影前に適正な撮影範囲をディスプレイ上で確認できる被写体としては、使用者自らか、又は、使用者以外のものかのいずれか一方に限定されてしまうという問題がある。
【０００６】
また、携帯電話機には、その携帯性につながるコンパクト性を維持できるような小型化や薄型化といった設計上の配慮が必要であり、構成部品をバランスよく配置することが重要である。
【０００７】
そこで、本発明は、上記の問題に鑑みてなされたものであり、被写体を問わずディスプレイ上で被写体の画像を確認しながら撮影が行え、かつ、被写体の照度が不十分な場所であっても撮影した画像の画質が十分に確保され、しかも、コンパクト性を損なわない携帯電話機を提供することを目的とするものである。
【０００８】
【課題を解決するための手段】
上記目的を達成するため、本発明による携帯電話機は、本体の正面に画像を表示するディスプレイを備え、本体の上端部に本体に対して回動可能な回動筐体を備えており、その回動筐体の回動方向の１つの面にスピーカが設けられ、その面と反対の面にカメラ及びストロボ装置が設けられていて、回動筐体の回動によりカメラ及びストロボ装置を本体の正面側と背面側のいずれか一方に選択的に位置させるようになっている。ここでは、前記回動筐体は、本体に対して水平軸を中心として回動可能で、本体の正面上端部に形成された開口凹部内に収納可能になっており、回動筐体が開口凹部内に収納された状態で、回動筐体の面のうち、本体の正面側の面にスピーカが設けられ、本体の背面側の面にカメラ及びストロボ装置が設けられていて、開口凹部にはカメラ及びストロボ装置各々に対応して本体の背面に貫通する貫通穴が形成されている。
【００１０】
また、回動筐体が本体の開口凹部内に収納された状態では、使用者以外の風景等を被写体にして撮影が行われるが、その際、被写体までの距離が遠くなることが多く、ストロボ装置から出射された光は事実上分散して、被写体に十分な照度を与えることができなくなるおそれがある。これを抑制する目的で、前記ストロボ装置に対応する前記貫通穴に、ストロボ装置から出射された光を集光する集光レンズが設けられることが好ましい。
【００１１】
一方、使用者以外の被写体であってもその距離が十分に近い場合、集光レンズを用いたストロボ装置からの光では、照射範囲が狭くなり過ぎ、被写体に適正な照度を与えることが困難となる。逆に、集光レンズを用いなくとも、直接ストロボ装置から出射された光により被写体に十分な照度を与えることができるので、前記集光レンズは、ストロボ装置に対応する前記貫通穴から離脱可能になっていることが好ましい。
【００１２】
【発明の実施の形態】
以下に、本発明の実施形態について図面を参照しながら説明する。図１は本発明の携帯電話機の外観を表す正面図が、図２は右側面図が、図３は背面図が、図４は図１のＡ−Ａ断面図が、図５は図１のＢ−Ｂ断面図がそれぞれ示されている。なお、図中で同一の名称の部分には同じ符号を付している。この携帯電話機は、コンパクト性に富んだ、いわゆる、折り畳み型であり、本体は上方側にある第１の筐体１と下方側にある第２の筐体２からなり、互いの一端がヒンジ部４により回動可能に連結されている。例えば、持ち運ぶ際には第１の筐体１と第２の筐体２とを重ね合わせるように閉じ、一方、使用の際には第１の筐体１と第２の筐体２とを開くという態様を取り得る。図では後者の態様が示されている。
【００１３】
第１の筐体１には、正面中央にディスプレイ５を備え、そのディスプレイ５の下方に送話用のマイク６を備えている。ディスプレイ５は液晶表示素子等で構成され、文字や画像等の通信情報、或いは、後述するカメラ２０での撮影画像等を表示するようになっている。一方、第２の筐体２には、正面に複数からなる操作ボタン７を備え、背面上端部の隅には、上方に向けて伸縮自在な通信用のアンテナ８を備えている。操作ボタン７は、電力供給のＯＮ／ＯＦＦ、通信信号の発信／受信、ディスプレイ５の表示内容の切り換え等といった操作の入力に用いられる。
【００１４】
また、第１の筐体１の上端部には正面に開口する開口凹部１０が形成されており、その開口凹部１０内には、水平軸１１で軸支されて第１の筐体１に対して回動する回動筐体３が収納されている。このように回動筐体３が開口凹部１０内に収納された状態において、以下に説明する。
【００１５】
回動筐体３の回動方向の面のうち、正面側の面（図４では左側）には、受話用のスピーカ９が設けられ、その面と反対の面である背面側の面（図４、５では右側）には、カメラ２０とストロボ装置３０とが隣接して設けられている。カメラ２０は、背面側（図５では右側）に向けて光軸を有するよう、ＣＣＤ等の撮像素子２１と、焦点調節やズームを行うカメラレンズ２２とで構成され、また、ストロボ装置３０は、カメラ２０の光軸方向と同方向の背面側（図４では右側）に向けて光を出射するよう、発光管３１と反射鏡３２とストロボレンズ３３とで構成されている。つまり、スピーカ９とカメラ２０とストロボ装置３０がバランスよく配置されているといえ、携帯電話機特有のコンパクト性を損なわず薄型化や小型化を維持している。
【００１６】
更に、カメラ２０、ストロボ装置３０各々に対応して、開口凹部１０から第１の筐体１の背面に貫通する貫通穴２３、３４がそれぞれ形成されており、背面側に向くカメラ２０の光軸方向やストロボ装置３０から出射された光（以下、「ストロボ光」と記すことがある）の出射方向に対して障害はなくなる。ストロボ装置３０に対応する貫通穴３４には、ストロボ光を集光する集光レンズ３５が設けられており、この集光レンズ３５は下方向にスライドして貫通穴３４から離脱する（図３、４の集光レンズ３５’）ようになっている。カメラ２０に対応する貫通穴２３には、上下方向にスライド自在な遮蔽板２４が設けられており、カメラ２０を覆ったり、カメラ２０から退避したり（図３、５の遮蔽板２４’）することができる。この遮蔽板２４は、カメラ２０を覆うことにより、持ち運びの際にカメラ２０の破損や汚損を防止する。
【００１７】
また、回動筐体３に設けられたスピーカ９、カメラ２０、ストロボ装置３０から第１の筐体１内に通じる不図示の電気的配線は、水平軸１１と同一軸上で対向する中空軸１２の中に通されており、外部に表出することはない。
【００１８】
このような構成で、回動筐体３は、スピーカ９と、カメラ２０及びストロボ装置３０とを互いに反対の面に配備したまま一体となって回動し、開口凹部１０内に収納された状態から開放された状態になり得る。その様子について、図６〜８を参照しながら説明する。図６は回動筐体３が開放された状態の外観を表す斜視図が、図７はその開放状態で図１のＡ−Ａ断面に相当する断面図が、図８はその開放状態で図１のＢ−Ｂ断面に相当する断面図がそれぞれ示されている。なお、図中で図１〜５と同一の名称の部分には同じ符号を付している。
【００１９】
回動筐体３は、不図示の解除レバーが操作されることによって、開口凹部１０から水平軸１１又は中空軸１２を中心に反転する（図７、８中で矢印の方向）。すると、スピーカ９は本体の背面側（図７では右側）に位置され、一方、カメラ２０及びストロボ装置３０は本体の正面側（図７、８では左側）に位置される。従って、カメラ２０の光軸方向やストロボ光の出射方向は、正面側（図７、８では左側）に向けられ、その方向に対しては一切障害はなくなる。
【００２０】
次に、本発明の携帯電話機の使い方について、図４、図５、図７及び図８を参照しながら説明する。本発明の携帯電話機は、通常の通話、デジタルカメラのような撮影、又は、これらを組み合わせたテレビ電話のような電話機として使用することが可能である。
【００２１】
先ず、通常の通話としては、図４に示される状態で行われる。使用者は、第１の筐体１の正面（図４では左側）に位置するスピーカ９から音声を受けながら、同じく第１の筐体１の正面に位置するマイク６（図１参照）に向かって音声を発し、通信相手と通話する。この際、背面側の雑音が開口凹部１０と回動筐体３の隙間から正面側に漏れるようなことはほとんどないので、スピーカ９からの音声が聞き取り難くなるよう事態は生じず、安定した通話が行える。なお、集光レンズ３５を貫通穴３４に位置させ、遮蔽板２４を貫通穴２３に位置させる（図５参照）と、開口凹部１０は第１の筐体１の背面から完全に遮断されるので、安定通話に対してはより効果的である。
【００２２】
次に、撮影としては、被写体が使用者以外のときと、被写体が使用者自らのときとがあり、それぞれに分けて説明する。被写体が使用者以外のときは、図４、５に示されるように、本体の正面側（図４、５では左側）に使用者が位置し、背面側（図４、５では右側）に被写体が位置する。使用者は、遮蔽板２４を貫通穴２３から下方向にスライドさせて（図５の遮蔽板２４’）カメラ２０を表出させ、背面側に位置する被写体の画像を正面のディスプレイ５上で見ながら、適正な撮影範囲を確定し撮影を行う。
【００２３】
ここで、被写体の照度が不十分なとき、例えば、暗い場所であるときは、撮影した画像の画質を十分に確保するために、ストロボ装置３０を発光させて被写体に十分な照度を与える。その際、被写体までの距離が遠い場合、直接ストロボ装置３０から出射された光では事実上分散して、被写体に与える光量が不足するおそれがあるので、この場合は、集光レンズ３５を貫通穴３４に位置させ、その集光レンズ３５によりストロボ光を集光して被写体に十分な照度を与えるようにする。一方、被写体までの距離が近い場合、集光レンズ３５を用いたストロボ光では、照射範囲が狭くなり過ぎて、被写体に適正な照度を与えることが困難となるし、逆に、集光レンズ３５を用いない直接ストロボ装置３０から出射された光でも、被写体に十分な照度を与えることができる。そこで、この場合は、集光レンズ３５を下方向にスライドさせて貫通穴３４から離脱させる（図４の集光レンズ３５’）。
【００２４】
一方、被写体が使用者自らのときは、図７、８に示されるように、本体の正面側（図７、８では左側）に被写体である使用者が位置する。使用者は、自らに向けられたカメラ２０により、自らの画像をディスプレイ５上で見ながら、適正な撮影範囲を確定し撮影を行う。ここで、被写体の照度が不十分なときは、撮影した画像の画質を十分に確保するために、ストロボ装置３０を発光させて被写体に十分な照度を与えるが、その際、被写体までの距離は本体を保持した手の長さ程度に近いため、集光レンズ３５は不要である。
【００２５】
最後に、テレビ電話のような使い方としては、上記した使用者自らを被写体として撮影を行う場合の態様と同様で、使用者は、自らに向けられたカメラ２０により自らの像を撮影し、その画像データを送信するとともに、一方では、通信相手から受信する画像データをディスプレイ５上で見ながら、リアルタイムに通信相手と対話を行う。
【００２６】
なお、本発明は上記の実施形態に限定されず、本発明の趣旨を逸脱しない範囲で、種々の変更が可能である。例えば、上記実施形態のような折り畳み機構を備えていない、いわゆる、ストレート型に対しても有効である。
【００２７】
【発明の効果】
以上説明した通り本発明によれば、携帯電話機本体の正面に画像を表示するディスプレイを備え、本体の上端部に本体に対して回動可能な回動筐体を備えており、その回動筐体の回動方向の１つの面にスピーカが設けられ、その面と反対の面にカメラ及びストロボ装置が設けられていて、回動筐体の回動によりカメラ及びストロボ装置を本体の正面側と背面側のいずれか一方に選択的に位置させるようになっているので、被写体を問わずディスプレイ上で被写体の画像を確認しながら撮影が行え、撮影前に適正な撮影範囲を確定できる。また、その被写体の照度が不十分な場所であっても、ストロボ装置からの光を被写体に与えることができ、撮影した画像の画質を十分に確保することが可能となる。しかも、スピーカとカメラとストロボ装置がバランスよく配置されているので、携帯電話機特有のコンパクト性を損なわず薄型化や小型化を維持できる。
【００２８】
特にここでは、前記回動筐体が、本体に対して水平軸を中心として回動可能で、本体の正面上端部に形成された開口凹部内に収納可能になっており、回動筐体が開口凹部内に収納された状態で、回動筐体の面のうち、本体の正面側の面にスピーカが設けられ、本体の背面側の面にカメラ及びストロボ装置が設けられていて、開口凹部にはカメラ及びストロボ装置各々に対応して本体の背面に貫通する貫通穴が形成されているので、撮影に支障なくコンパクト性をより維持することができる。しかも、通常の通話に使用する際、背面側の雑音が開口凹部と回動筐体の隙間から正面側に漏れるようなことはほとんどないので、スピーカからの音声が聞き取り難くなるよう事態は生じず、安定した通話が行える。
【００２９】
また、前記ストロボ装置に対応する前記貫通穴に、ストロボ装置から出射された光を集光する集光レンズが設けられると、回動筐体が本体の開口凹部内に収納された状態で行われる撮影の際に、被写体までの距離が遠くても、ストロボ装置からの光を集光して、被写体に十分な照度を与えることができる。
【００３０】
この集光レンズが、ストロボ装置に対応する前記貫通穴から離脱可能になっていると、被写体までの距離が十分に近い場合は、集光レンズを用いず直接ストロボ装置から出射された光により、被写体に十分かつ適正な照度を与えることができる。
【図面の簡単な説明】
【図１】    本発明の携帯電話機の外観を表す正面図である。
【図２】    本発明の携帯電話機の外観を表す右側面図である。
【図３】    本発明の携帯電話機の外観を表す背面図である。
【図４】    図１のＡ−Ａ断面図である。
【図５】    図１のＢ−Ｂ断面図である。
【図６】    本発明の携帯電話機における回動筐体が開放された状態の外観を表す斜視図である。
【図７】    本発明の携帯電話機における回動筐体が開放された状態での図１のＡ−Ａ断面に相当する断面図である。
【図８】    本発明の携帯電話機における回動筐体が開放された状態での図１のＢ−Ｂ断面に相当する断面図である。
【符号の説明】
１    第１の筐体
２    第２の筐体
３    回動筐体
４    ヒンジ部
５    ディスプレイ
６    マイク
７    操作ボタン
８    アンテナ
９    スピーカ
１０    開口凹部
１１    水平軸
１２    中空軸
２０    カメラ
２１    撮像素子
２２    カメラレンズ
２３    貫通穴
２４    遮蔽板
３０    ストロボ装置
３１    発光管
３２    反射鏡
３３    ストロボレンズ
３４    貫通穴
３５    集光レンズ
【図１】
0003810294.tif 000002
【図２】
0003810294.tif 000003
【図３】
0003810294.tif 000004
【図４】
0003810294.tif 000005
【図５】
0003810294.tif 000006
【図６】
0003810294.tif 000007
【図７】
0003810294.tif 000008
【図８】
0003810294.tif 000009